(57)【要約】【課題】  入賞（例えば、特定領域への遊技球の入賞等）に対する期待感を持続させることが可能であり、遊技の興趣性を向上させることが可能な遊技機を提供すること。【解決手段】  その内部に遊技球を入れることが可能な役物装置が設けられた遊技盤を備えた遊技機であって、遊技盤は、一部又は全部が透光性部材で構成され、役物装置は、遊技盤の透光性部分の裏側に設けられ、役物装置の内部には、該役物装置の内部に入った遊技球に対して光を照射可能な第１発光手段が設けられ、第１発光手段から照射された光によって生じる遊技球の影を遊技機の前方より遊技者が視認し得るように構成されたことを特徴とする遊技機。【選択図】    図５
2005211500.tif 000002
【特許請求の範囲】
【請求項１】
その内部に遊技球を入れることが可能な役物装置が設けられた遊技盤を備えた遊技機であって、
前記遊技盤は、一部又は全部が透光性部材で構成され、
前記役物装置は、前記遊技盤の透光性部分の裏側に設けられ、
前記役物装置の内部には、該役物装置の内部に入った遊技球に対して光を照射可能な第１発光手段が設けられ、
前記第１発光手段から照射された光によって生じる前記遊技球の影を遊技機の前方より遊技者が視認し得るように構成されたことを特徴とする遊技機。
【請求項２】
前記遊技盤の裏面側には、前記役物装置に対して光を照射可能な第２発光手段が設けられ、
前記第２発光手段から照射された光によって生じる前記役物装置の影を遊技機の前方より遊技者が視認し得るように構成されたことを特徴とする請求項１に記載の遊技機。
【発明の詳細な説明】
【技術分野】
【０００１】
本発明は、パチンコ遊技装置等の遊技機に関する。
【背景技術】
【０００２】
従来、ハネモノと称されるパチンコ遊技装置としては、例えば、遊技盤上に設けられた複数の始動領域のいずれかに遊技球が入賞したことを受けて、役物装置である変動入賞装置が備える可動片が１回又は２回開閉するというように、遊技球が入賞した始動領域の種類に応じて、可変入賞装置が開放状態となってから閉鎖状態となるまでを１回とする入賞タイムが所定回数行われ、可変入賞装置が開放状態であるときに、可変入賞装置内に遊技球が入り、その遊技球が特定領域（所謂Ｖゾーン等）に入ったときには、大当たり遊技状態が発生し、遊技者は多数の遊技球を獲得することができる遊技機が存在する（例えば、特許文献１参照）。
【０００３】
このようなパチンコ遊技装置においては、変動入賞装置内に、例えば、人形等を模した可動体や貫通孔等が設けられ、これらの可動体や貫通孔等によって遊技球の流下方向が変化するため、遊技者は、変動入賞装置内の遊技球の動きを見ながら、特定領域への遊技球の入賞に期待感を抱くことができる。
【０００４】
【特許文献１】特開平５−２２０２５７号公報
【発明の開示】
【発明が解決しようとする課題】
【０００５】
しかしながら、特許文献１に記載のパチンコ遊技装置では、常に変動入賞装置内の遊技球を見ることができるため、次第に変動入賞装置内の遊技球の動きによって特定領域に入賞するか否かを予測し得るようになり、特定領域への遊技球の入賞に対する期待感を持続させることが困難であり、遊技に飽きられてしまうという問題がある。
【０００６】
本発明は上述した問題に鑑みてなされたものであり、その目的は、入賞（例えば、特定領域への遊技球の入賞等）に対する期待感を持続させることが可能であり、遊技の興趣性を向上させることが可能な遊技機を提供することにある。
【課題を解決するための手段】
【０００７】
上述した課題を解決するために、本発明は、以下のようなものを提供する。
（１）その内部に遊技球を入れることが可能な役物装置が設けられた遊技盤を備えた遊技機であって、
上記遊技盤は、一部又は全部が透光性部材で構成され、
上記役物装置は、上記遊技盤の透光性部分の裏側に設けられ、
上記役物装置の内部には、該役物装置の内部に入った遊技球に対して光を照射可能な第１発光手段が設けられ、
上記第１発光手段から照射された光によって生じる上記遊技球の影を遊技機の前方より遊技者が視認し得るように構成されたことを特徴とする遊技機。
【０００８】
（１）の発明によれば、役物装置内で移動する遊技球を正確に視認することが困難であり、遊技球の動きをその影によって把握しなければならなくなるため、役物装置内に設けられる特定領域等へ遊技球が入賞するか否かを容易に予測し難くなり、入賞に対する期待感を向上させることができ、遊技の興趣性を向上させることができる。
【０００９】
さらに、本発明は、以下のようなものを提供する。
（２）  上記（１）に記載の遊技機であって、
上記遊技盤の裏面側には、上記役物装置に対して光を照射可能な第２発光手段が設けられ、
上記第２発光手段から照射された光によって生じる上記役物装置の影を遊技機の前方より遊技者が視認し得るように構成されたことを特徴とする。
【００１０】
（２）の発明によれば、遊技球の影とともに役物装置の影が視認可能となるため、遊技球及び役物装置の影が、役物装置内に設けられる特定領域等へ遊技球が入賞するか否かを予測するための示唆となる。従って、直接的に遊技球と役物装置とを視認することはできないものの、当該示唆によって役物装置内に設けられる特定領域等へ遊技球が入賞するか否かを予測するという斬新な演出を行うことが可能であり、入賞に対する期待感を高めて、遊技の興趣性をより向上させることができる。
【発明の効果】
【００１１】
本発明の構成によれば、入賞（例えば、特定領域への遊技球の入賞等）に対する期待感を持続させることが可能であり、遊技の興趣性を向上させることが可能な遊技機を提供することができる。
【発明を実施するための最良の形態】
【００１２】
以下に、本発明の実施例について図面に基づいて説明する。
図１は、本発明の遊技機の一例を模式的に示す正面図である。なお、以下において説明する実施例においては、本発明に係る遊技機の好適な実施例として、本発明を、第二種弾球遊技機とよばれるパチンコ遊技装置に適用した場合を示す。
【００１３】
第二種弾球遊技機とよばれるパチンコ遊技装置（以下、単に、パチンコ遊技装置という）１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６とが配置されている。
【００１４】
遊技盤１４は、全部がアクリル樹脂等の透明性部材で構成されており、その中央部分には、不透明部１４ａが形成されている。なお、遊技盤１４は、役物装置１００の前方部分のみが透明性部材で構成されていてもよい。
遊技盤１４の不透明部１４ａの裏側には、役物装置１００が設けられている。この役物装置１００については、後に詳述する。不透明部１４ａは、投影された役物装置１００の影、及び、役物装置１００内の遊技球の影を視認することが可能なように構成されている。
また、遊技盤１４の前面には複数の障害釘（図示せず）が打ちこまれている。なお、釘を打ち込むような構成とせず、遊技盤１４を樹脂素材で成形し、この樹脂素材の遊技盤１４に金属製の棒状体を遊技盤１４の前方向に突出するように植設する構成としてもよく、上述したようなパチンコ遊技装置１０（パチコン機）にも本発明を適用することができる。なお、本明細書において、パチンコ遊技装置１０とは、パチコン機をも含む概念である。
【００１５】
さらに、発射ハンドル２６は本体枠１２に対して回動自在に設けられており、遊技者は発射ハンドル２６を操作することによりパチンコ遊技を進めることができるのである。発射ハンドル２６の裏側には、発射ソレノイド２８が設けられている。発射ハンドル２６が遊技者によって時計回り方向へ回動操作されたときには、発射ソレノイド２８に電力が供給され、上皿２０に貯留された遊技球が遊技盤１４に順次発射される。
【００１６】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００１７】
図２は、遊技盤１４を模式的に示す拡大正面図である。なお、上述した図１に示した構成要素と対応する構成要素には同一の符号を付した。
【００１８】
不透明部１４ａの中央より上側には、球検知センサ（図示せず）、及び、可動片５８ａ、５８ｂを備える始動装置４４が設けられている。
また、不透明部１４ａの左右の両側には、一般入賞口５４ａ及び５４ｂが設けられている。さらに、不透明部１４ａの最も下側の左右両側には、それぞれＡ始動口４５ａ及び４５ｂが設けられており、入賞装置３２の下側の中央部分には、Ｂ始動口４５ｃが設けられている。
なお、Ａ始動口４５ａ及び４５ｂは、遊技球が入ることにより、始動装置４４が備える可動片５８ａ、５８ｂを所定時間（例えば、０．５秒）開放状態とする入賞タイムへの移行が１回行われる始動口であり、Ｂ始動口４５ｃは、遊技球が入ることにより入賞タイムへの移行が２回行われる始動口である。
【００１９】
不透明部１４ａの左上及び右上と、左下及び右上とには、遊技球の経路を所定の方向に誘導するための転動誘導部材５１ａ〜５１ｄも設けられている。また、遊技盤１４の外側の上左側と上右側とには、装飾ランプ３６ａ及び３６ｂとが設けられている。
【００２０】
図３は、図１、図２に示した役物装置１００を模式的に示す拡大正面図であり、図４は、図３に示した役物装置１００のＡ−Ａ線断面図である。なお、図４では、役物装置１００が遊技盤１４に取り付けられた様子を示し、また、役物装置１００の上方に設けられた始動装置４４も示している。また、図中、２点鎖線の矢印は、遊技球の軌道を示す。
役物装置１００は、遊技盤１４の裏面側に取り付けられる取付基板１０１と、取付基板１０１の後側に突出するように設けられた枠体１０５とを備えている。取付基板１０１の一部は、「チャンス！」という文字の形状に刳り抜かれている。
【００２１】
枠体１０５の上部には、遊技球の通過孔１２２が設けられている。始動装置４４に入った遊技球は、遊技盤１４の裏側から落下し、通過孔１２２から役物装置１００の内部に入るのである。
【００２２】
役物装置１００の枠体１０５の内部の中央には、傾斜棚１１７が設けられている。傾斜棚１１７は、中央に向かって下方に傾斜するとともに手前側から奥側に向かって下方に傾斜するように設けられており、遊技球が奥側に向かって滑落し、傾斜棚１１７の奥側端部から落下するようになっている。
【００２３】
枠体１０５の下部の手前側の中央には、Ｖ入賞口１２０が設けられ、その左右両側には、特定入賞口１２１ａ、１２１ｂがそれぞれ設けられている。枠体１０５の下部に落下した遊技球は、Ｖ入賞口１２０、特定入賞口１２１ａ、１２１ｂのいずれかに入る。
Ｖ入賞口１２０に入った遊技球は、Ｖ入賞球検知センサ（図示せず）により検知される。
入賞タイムへの移行が行われ、可動片５８ａ、５８ｂが開放状態となっているときに始動装置４４に入賞した遊技球が、役物装置１００内に入り、Ｖ入賞口１２０に入賞したときには、大当たり遊技状態が発生する。
また、特定入賞口１２１ａ、１２１ｂに入った遊技球は、入賞球検知センサ（図示せず）により検知される。
また、Ｖ入賞口１２０の手前側には、Ｖ字形状の装飾体１１０が設けられている。
【００２４】
枠体１０５の内部の奥側には、バックライト１８０が設けられている。
このバックライト１８０は、その裏面に反射シート１８２が設けられた導光体１８１と、白色光を導光体１８１に対して照射し得る２つの冷陰極蛍光管１３４ａ、１３４ｂとからなるものである。このバックライト１８０は、第１発光手段として機能するものである。
冷陰極蛍光管１３４ａ、１３４ｂから、導光体１８１の側面へと入射された白色光は、導光体１８１の裏面に設けられた反射シート１８２により、面状の光となって前方へ供給される。なお、図中、冷陰極蛍光管１３４ａ、１３４ｂから発せられる光は、破線の矢印により示した。
【００２５】
バックライト１８０から供給される光は、遊技盤１４の不透明部１４ａ、役物装置１００内の遊技球、傾斜棚１１７及び装飾体１１０に照射され、これにより、役物装置１００の遊技球、傾斜棚１１７及び装飾体１１０の影が不透明部１４ａに投影されるのである。
【００２６】
また、役物装置１００の後方には、バックライト２８０が設けられている。
このバックライト２８０は、上述したバックライト１８０と同様の構成であり、その裏面に反射シート２８２が設けられた導光体２８１と、白色光を導光体１８１に対して照射し得る２つの冷陰極蛍光管２３４ａ、２３４ｂとからなるものである。このバックライト２８０は、第２発光手段として機能するものである。
冷陰極蛍光管２３４ａ、２３４ｂから、導光体２８１の側面へと入射された白色光は、導光体２８１の裏面に設けられた反射シート２８２により、面状の光となって前方へ供給される。なお、図中、冷陰極蛍光管２３４ａ、２３４ｂから発せられる光は、破線の矢印により示した。
【００２７】
バックライト２８０から供給される光は、役物装置１００及び遊技盤１４の不透明部１４ａに照射され、これにより、役物装置１００の影が不透明部１４ａに投影されるのである。
【００２８】
パチンコ遊技装置１０では、始動装置４４に入賞した遊技球が球検知センサにより検知されたことを受けて、バックライト１８０及びバックライト２８０が発光し、Ｖ入賞口１２０に入賞した遊技球がＶ入賞センサにより検知されるか、又は、特定入賞口１２１ａ、１２１ｂに入賞した遊技球が入賞球センサにより検知されたことを受けて、バックライト１８０及びバックライト２８０が消灯する。
【００２９】
図５（ａ）〜（ｄ）は、バックライト１８０及びバックライト２８０からの光が、遊技盤１４の不透明部１４ａに照射されているときの様子を模式的に示す図である。
図５（ａ）〜（ｄ）に示すように、遊技盤１４の不透明部１４ａには、役物装置１００、傾斜棚１１７及び装飾体１１０の影が投影されている。
【００３０】
図５（ａ）では、役物装置１００内に入った遊技球が傾斜棚１１７上に存在しており、図５（ｂ）では、傾斜棚１１７の奥側端部から落下した遊技球が役物装置１００の下部に存在している。
そして、役物装置１００の下部を手前側に向かって滑落する遊技球が、Ｖ入賞口１２０の後方に位置しているときには、図５（ｃ）に示すように、遊技球の影が役物装置１００の影の中央に位置して遊技球の影と装飾体１１０の影とが重なり、重なった状態のまま、図５（ｄ）に示すように遊技球の影が消えると、遊技球がＶ入賞口１２０に入ったこととなり、大当たり遊技状態が発生するのである。
なお、遊技球の影が装飾体１１０の影の左側に位置しているときに、遊技球の影が消えた場合には、遊技球は、特定入賞口１２１ａに入ったことになり、遊技球の影が装飾体１１０の影の右側に位置しているときに、遊技球の影が消えた場合には、遊技球は、特定特定入賞口１２１ｂに入ったことになる。
【００３１】
以上、説明したようにパチンコ遊技装置１０によれば、役物装置１００内で移動する遊技球の位置を正確に視認することが困難であり、遊技球の動きをその影によって把握しなければならなくなるため、役物装置１００内に設けられたＶ入賞口１２０へ遊技球が入賞するか否かを容易に予測し難くなり、入賞に対する期待感を向上させることができ、遊技の興趣性を向上させることができる。
【００３２】
また、パチンコ遊技装置１０では、遊技球の影とともに役物装置１００の影及び装飾体１１０の影が視認可能となるため、遊技球の影と、役物装置１００の影又は装飾体１１０の影との位置関係が、遊技球がＶ入賞口１２０へ入賞するか否かを予測するための示唆となる。そのため、当該示唆によって役物装置１００に設けられたＶ入賞口１２０へ遊技球が入賞するか否かを予測するという斬新な演出を行うことが可能であり、入賞に対する期待感を高めて、遊技の興趣性をより向上させることができる。
【００３３】
図１〜図５に示したパチンコ遊技装置１０では、遊技球や役物装置１００等の影を投影するために、面状の光を発するバックライト１８０、２８０が用いられる場合について説明したが、本発明では、第１発光手段及び第２発光手段としては特に限定されるものではなく、例えば、放射状に光を発するＬＥＤランプであってもよい。
また、本発明の遊技機は、必ずしも第１発光手段と第２発光手段との両方を備えている必要はなく、第１発光手段のみを備えていてもよい。
以下、役物装置の内部に入った遊技球に対して光を照射可能な第１発光手段のみが設けられており、且つ、第１発光手段がＬＥＤランプである場合について説明する。
【００３４】
図６は、本発明の遊技機の他の一例を模式的に示す断面図である。なお、図６では、遊技盤１４の役物装置１００の近傍を示している。また、図６において、図１〜図４に示したパチンコ遊技装置１０と同様の構成要素については、同一の符号を付している。
【００３５】
図６では、遊技盤１４の役物装置１００の傾斜棚１１７より下側の前方部分にのみ、不透明部１１４ａが形成されている。
また、役物装置１００内部の奥側下部には、ＬＥＤランプ３００が設けられている。ＬＥＤランプ３００から供給される放射状の光は、遊技盤１４の不透明部１１４ａ、及び、役物装置１００の下部に位置する遊技球に照射され、これにより、当該遊技球の影が不透明部１１４ａに投影されるのである。なお、役物装置１００内部に設けられるＬＥＤランプ３００の数としては、特に限定されるものではない。
【００３６】
上述した例では、遊技球の影及び役物装置の影が、遊技盤に形成された不透明部に投影される場合について説明したが、本発明では、必ずしも、遊技球の影及び役物装置の影が投影される対象が遊技盤に形成されている必要はなく、例えば、遊技盤の透明性部分の前方又は後方にスクリーンが設けられ、当該スクリーンに遊技球の影及び役物装置の影が投影されるように遊技機が構成されていてもよい。
【００３７】
また、本発明は、遊技盤上を移動する遊技球を所定の位置に導くための所謂ワープルートにも適用することが可能である。すなわち、ワープルート内を移動する遊技球に対して光を照射可能な第１発光手段が設けられており、当該第１発光手段から照射された光によって生じる遊技球の影を遊技機の前方より視認可能なように遊技機が構成されていてもよい。
【００３８】
上述した例では、始動装置４４に遊技球が入賞してから、Ｖ入賞口１２０又は特定入賞口１２１ａ、１２１ｂに遊技球が入賞するまでの期間において、バックライト１８０、２８０から光が発せられる場合について説明したが、本発明において、第１発光手段、又は、第１発光手段及び第２発光手段により光が発せられる期間としては、役物装置に入った遊技球の影が遊技者により視認される期間の一部又は全部を含むものであれば、特に限定されるものではなく、例えば、Ａ始動口４５ａ、４５ｂ又はＢ始動口４５ｃに遊技球が入ってからＶ入賞口１２０又は特定入賞口１２１ａ、１２１ｂに遊技球が入るまでの期間であってもよい。
【図面の簡単な説明】
【００３９】
【図１】本発明の遊技機の一例を模式的に示す正面図である。
【図２】図１に示したパチンコ遊技装置の拡大正面図である。
【図３】図１に示した役物装置を模式的に示す拡大正面図である。
【図４】図３に示した役物装置のＡ−Ａ線断面図である。
【図５】（ａ）〜（ｄ）は、バックライトからの光が遊技盤の不透明部に照射されているときの様子を模式的に示す図である。
【図６】本発明の遊技機の他の一例を模式的に示す断面図である。
【符号の説明】
【００４０】
１０  パチンコ遊技装置（遊技機）
１４  遊技盤
１４ａ  不透明部
４５ａ、４５ｂ  Ａ始動口
４５ｃ  Ｂ始動口
５１ａ〜５１ｄ  転動誘導部材
５４ａ、５４ｂ  一般入賞口
５８ａ、５８ｂ  可動片
１００  役物装置
１０１  取付基板
１０５  枠体
１０６ａ、１０６ｂ  球通過検出器
１２０  Ｖ入賞口
１２１ａ、１２１ｂ  特定入賞口
１３４、２３４  冷陰極蛍光管
１８０、２８０  バックライト
３００  ＬＥＤランプ
【図１】
2005211500.tif 000003
【図２】
2005211500.tif 000004
【図３】
2005211500.tif 000005
【図４】
2005211500.tif 000006
【図５】
2005211500.tif 000007
【図６】
2005211500.tif 000008